(57)【要約】【課題】引出しを一方側から引き出しても、他方側からはその状況が目隠しされ、かつ引出しの収納箱体の位置を常に正確に位置決めできる両引き引出し構造を提供すること。【解決手段】引出し４をキャビネット１の正面側からも背面側からも引き出すことができる双方向に引き出し自在な両引き引出し４であって、前記引出し４は、収納箱体５、正面側前板６及び背面側前板７で構成され、前記両前板６、７はキャビネット１の側板３に設けた固定レール体８に摺動自在の支持レール９、１０をそれぞれ有し、前記収納箱体５が収納位置にあるときは両前板６、７とも該収納箱体５と分離しており、両前板６、７の何れか一方の前板７が外方に引き出されたときは、その前板７と収納箱体５とが連結状態になるように両引き引出し構造を構成する。【選択図】  図１
2004188110.tif 000002
【特許請求の範囲】
【請求項１】
引出し本体を収納庫の正面側からも背面側からも引き出すことができる双方向に引き出し自在な両引き引出し構造であって、前記引出し本体は、収納箱体、正面側前板及び背面側前板で構成され、前記両前板は収納庫側板に設けた固定レール体に摺動自在の支持レールをそれぞれ有し、前記収納箱体が収納位置にあるときは両前板とも該収納箱体と分離しており、両前板の何れか一方の前板が外方に引き出されたときは、その前板と収納箱体とが連結状態になることを特徴とする両引き引出し構造。
【請求項２】
前記前板又は支持レールに連結作動体が設けられ、前板が引出し収納位置にあるときは、前記連結作動体が収納箱体との非連結状態を維持し、前板が引き出されたときは連結作動体が収納箱体と係合して連結状態を保つ請求項１に記載の両引き引出し構造。
【請求項３】
前記連結作動体は前記支持レールに回動自在に支承した回動レバーであり、前記収納箱体には該回動レバーと係合可能な嵌合溝が形成されている請求項２に記載の両引き引出し構造。
【請求項４】
前記収納箱体は固定レール体に摺動案内される請求項１ないし３に記載の両引き引出し構造。
【請求項５】
前記両前板のそれぞれの支持レールは上下に積層配置されている請求項１ないし４に記載の両引き引出し構造。
【請求項６】
前記両引き引出し構造が、家具に設けられている請求項１ないし５に記載の両引き引出し構造。
【請求項７】
前記家具が、システムキッチンである請求項６に記載の両引き引出し構造。
【発明の詳細な説明】
【０００１】
【発明の属する技術分野】
本発明は、引出し本体を収納庫の正面側からも背面側からも引き出すことができる双方向に引き出し自在な両引き引出し構造に関する。
【０００２】
【従来の技術】
両引き引出しは、例えば特許文献１に記載されているように、主婦がキッチン側で調理を終えハッチカウンタ上で盛り付けを行った後、ダイニング側に移動してダイニング側から引出しを開けその内に収納してある所望のスプーン、フォーク等の食器具等を取り出してダイニングテーブル上にて配膳し、その後、ダイニングテーブル上の使用済み食器等をハッチカウンタ上に片付け、キッチン側に移動して使用済み食器の洗浄を行い、キッチン側から引出しを開けてその洗浄した食器具等を引出し内に速やかに収納することができるので便利である。
【０００３】
そしてこのような両引き引出しの具体的構造は、例えば特許文献２に記載されているように、側板に固定の外レールと、引出しと一体の支持レールとの間に内レールを介在させ、双方向に引き出せるようにしたものが知られている。
【０００４】
【特許文献１】
特開平５−２７７０１７号公報（第２頁、図１）
【特許文献２】
特開昭５６−９１７１１号公報（第２頁、図１、２）
【０００５】
【発明が解決しようとする課題】
しかしながら、上記特許文献２に記載の引出しは、一方側から引き出すと他方側は凹み空間が形成されるので、体裁が悪いばかりでなく、引き出す度に気になり、しかもその凹み空間にゴミ等が入り込み易かった。また、双方向に引き出せるために、引出しの収納位置が定まらず、締めたつもりで半開きになっていることがあった。
【０００６】
本発明は、このような状況に鑑みてなされたものであり、引出しを一方側から引き出しても、他方側からはその状況が目隠しされ、かつ引出しの収納箱体の位置を常に正確に位置決めできる両引き引出し構造を提供することを目的とするものである。
【０００７】
【課題を解決するための手段】
上記課題を解決するために、本発明の両引き引出し構造は、引出し本体を収納庫の正面側からも背面側からも引き出すことができる双方向に引き出し自在な両引き引出し構造であって、前記引出し本体は、収納箱体、正面側前板及び背面側前板で構成され、前記両前板は収納庫側板に設けた固定レール体に摺動自在の支持レールをそれぞれ有し、前記収納箱体が収納位置にあるときは両前板とも該収納箱体と分離しており、両前板の何れか一方の前板が外方に引き出されたときは、その前板と収納箱体とが連結状態になることを特徴としている。
この特徴によれば、一方の前板が収納箱体と共に連結状態となって外方に引き出されても、引出しの反対側は他方の前板で前面を塞いでいるので、体裁が良いだけでなく反対側での引き出し操作が気にならず、しかも引出し本体の収納箱体はその収納位置で前板と分離されるので、収納箱体は常に定位置で収納されることになる。
【０００８】
本発明の両引き引出し構造において、前記前板又は支持レールに連結作動体が設けられ、前板が引出し収納位置にあるときは、前記連結作動体が収納箱体との非連結状態を維持し、前板が引き出されたときは連結作動体が収納箱体と係合して連結状態を保つことが好ましい。
このようにすれば、前板の操作に応じて前板と収納箱体との連結、非連結を自動的に行うことができる。
【０００９】
本発明の両引き引出し構造において、前記連結作動体は前記支持レールに回動自在に支承した回動レバーであり、前記収納箱体には該回動レバーと係合可能な嵌合溝が形成されていることが好ましい。
このようにすれば、回動レバーと嵌合溝という簡素な構成で前板と収納箱体との自動連結、及びその自動解除が実現できる。
【００１０】
本発明の両引き引出し構造において、前記収納箱体は固定レール体に摺動案内されることが好ましい。
このようにすれば、収納箱体を安定的に摺動させることができる。
【００１１】
本発明の両引き引出し構造において、前記両前板のそれぞれの支持レールは上下に積層配置されてことが好ましい。
このようにすれば、コンパクトに収納したレール構造を提供できる。
【００１２】
本発明の両引き引出し構造において、前記両引き引出し構造が、家具に設けられていることが好ましい。
このようにすれば、家具の正面側と背面側の双方から収納箱体内の収納物を出し入れすることができるので、家具をまわりこんで移動する必要がなくなる。
【００１３】
本発明の両引き引出し構造において、前記家具が、システムキッチンであることが好ましい。
このようにすれば、キッチンとダイニングの間を移動しなくても、収納箱体内の収納物を出し入れできるようになる。
【００１４】
【発明の実施の形態】
以下、本発明の両引き引出し構造についての実施例を図面に基づいて説明すると、先ず図1は、本発明の実施例としての両引き引出し構造を備えた収納庫としてのキャビネットの全体像を示す斜視図である。このキャビネットには、同じ構造をしている両引き引出し構造が上段、中段、下段に備わっているが、本実施例では、上段に備わった両引き引出し構造のみを説明し、重複する構成は省略して説明する。
【００１５】
図１の符号１は、キャビネットであり、このキャビネット１は、システムキッチンに設けられており、キッチンとダイニングの間に設置されるものであり、天板２や側板３があり、正面側はキッチンに向き、背面側はダイニングに向くようになっている。また、食器等を収納できるように、本発明の実施例としての両引き引出し４を備えており、この両引き引出し４には、正面側及び背面側の何れか一方向に引き出せる収納箱体５がある。
【００１６】
更に、両引き引出し４には、収納箱体５と別体の前板６、７があり、正面側の前板６を引き出せば収納箱体５は連動して正面側の外方に引き出され、背面側の前板７を引き出せば背面側に引き出せるので、キッチン及びダイニングのどちらからでも食器等を取り出すことができるようになっている。
【００１７】
次に、両引き引出し４の具体的構造について図２に基づいて説明する。図２（ａ）は、両引き引出し４の分解斜視図であり、図２（ｂ）は、その組立斜視図である。
【００１８】
図２（ａ）に示すように両引き引出し４は、中央に収納箱体５と、その収納箱体５を挟んで正面側の前板６と背面側の前板７、及び側面側のキャビネットの側板３に取り付けられる一対の固定レール体８で構成されている。この固定レール体８には、摺動自在の２本の支持レール９、１０が取り付けられており、それぞれが上下に積層配置されてある。
【００１９】
また、略Ｌ字状をした連結部１１、１２が、支持レール９、１０の各々一方の先端部に取り付けられており、この連結部１１、１２の下部には、連結作動体としての回動レバー１３、１４が回動自在に支承されてある。下方の支持レール９の連結部１１には、正面側の前板６が固定でき、上方の支持レール１０の連結部１２には、背面側の前板７が固定できるようになっている。
【００２０】
収納箱体５の側板１５は、アーチ状に形成されており、支持レール９、１０が内部に挿設できるようになっている。（図４参照）支持レール９、１０が側板１５の内側にあることで図２（ｂ）に示すように、支持レール９、１０が隠蔽されることになり、両引き引出し４を引き出した際に見栄えを良くできるようになる。
【００２１】
また、側板１５の内側には、車輪１６、１７が上方の支持レール１０の上に滑動可能に載置できる位置に取り付けられており、更に、嵌合溝１８、１９が収納箱体５の側面位置に形成されており、回動レバー１３、１４と連結嵌合できるようになっている。
【００２２】
図３は、連結作動体としての回動レバー１３と収納箱体５に形成されている嵌合溝１８を拡大して示した上断面図であり、（ａ）は収納箱体５が収納位置にある状態を示し、（ｂ）は前板６が引き出された状態を示している。
【００２３】
キャビネットの側板３と収納箱体５との間に上面視が略Ｚ字状をした回動レバー１３が設けられている。この回動レバー１３は、連結部１１の下面に枢軸２０を介して回動自在に支承されており、連結部１１内に設けたバネ等の付勢手段により、回動レバー１３の一方端に形成した嵌合部２１が収納箱体５の側面に形成されている嵌合溝１８に嵌合できる方向に回動するように付勢されている。
【００２４】
しかし、図３（ａ）に示したように収納箱体５の収納時には、回動レバー１３の他方端部に形成した係止部２２が、側板３に設けられている係止片２３に当接して係止されるので、回動レバー１３は収納箱体５と非連結状態を維持することができるようになっている。
【００２５】
図３（ａ）の状態から図３（ｂ）に示すように前板６が引き出されると、回動レバー１３の係止部２２が、側板３の係止片２３から離れるので、付勢手段により回動レバー１３が枢軸２０を中心に回転し、嵌合部２１が嵌合溝１８に嵌合して連結状態になり、収納箱体５は前板６とともに引き出されるようになる。このとき、連結することで収納箱体５の荷重を回動レバー１３にかけることができる。このように回動レバー１３と嵌合溝１８という簡素な構成で前板６と収納箱体５との自動連結、及びその自動解除が実現できるようになっている。
【００２６】
図４は、固定レール体８と支持レール９、１０を拡大して示した断面図であり、固定レール体８は、断面が略コ字状に形成されており、その一方の端部がネジ２４によりキャビネットの側板３に固定されており、固定レール体８の固定されていない端部には、断面が略十字状の２本のレール条２５、２６が上下に配置されている。支持レール９、１０は断面が略Ｃ字状をしており、レール条２５、２６に遊嵌することで、キャビネットの正面方向及び背面方向に摺動案内されるようになっている。
【００２７】
図４において収納箱体５の底板２７の側部には、アーチ状をしている側板１５が固定されており、支持レール９、１０及びレール条２５、２６は、収納箱体５の側板１５の内部にそれぞれ上下に積層配置されることにより、コンパクトに収納したレール構造を提供できるようになっている。支持レール９、１０とレール条２５、２６の遊間にはボール２８が複数配置されており、このボール２８を介することにより円滑に支持レール９、１０を摺動させることができるようになる。
【００２８】
収納箱体５の側板１５の内側には、車輪１６が取り付けられており、この車輪１６は、上方の支持レール１０の上に載置されており、収納箱体５の荷重を支えることができるばかりか、収納箱体５を円滑に出し入れできるようになっている。
【００２９】
図５は、両引き引出し４の使用例を示す、キャビネット１の側断面図であり、左側がキャビネット１の正面側であり、右側が背面側であって、（ａ）は、収納箱体５が収納されている状態であり、（ｂ）は、正面側に引き出された状態であり、（ｃ）は、背面側に引き出された状態である。
【００３０】
図５（ａ）に示しているキャビネット１の収納箱体５は、正面側及び背面側双方の回動レバー１３、１４が嵌合溝１８、１９と外れているので、収納箱体５は前板６、７と非連結状態であり、その収納位置で収納箱体５は常に定位置で収納されている。
【００３１】
図５（ｂ）に示すように、前板６を正面側に引くと正面側の回動レバー１３が作動し、収納箱体５は前板６と連結状態になり、連動して外方に引き出すことができるようになる。正面側の前板６と収納箱体５が引き出された際に、背面側の前板７は、収納箱体５とは分離しており、収納箱体５と連動することがないので、背面側のキャビネット１の前面を塞ぐことができ、キャビネット１が凹みをつくらずに体裁が良くなるばかりか、正面側の引き出し操作が気にならずに済む。
【００３２】
図５（ｃ）に示すように、背面側の前板７を引いた際には、背面側の回動レバー１４が作動し、収納箱体５は、背面側の前板７と連結状態になり連動して引き出すことができるようになる。そのときでも上記実施例と同様に正面側の前板６は動かないので、キャビネット１の見栄えを保ったまま引き出し操作ができるようになっている。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、本発明の両引き引出し構造は、システムキッチン等に限らず、オフィス等で使われる机や棚等、または、家具等に備えて使用することもできる。
【００３５】
また、ロック機構を前板に設けて、取手を掴むことでロックを解除するようにすれば、引き出し操作の際に、一方の前板を勢いよく閉めた場合に、収納箱体の慣性により、反対側の前板が押されて開扉するのを防ぐことができるようになる。更に別の手段として、キャビネットの側板と引出しの前板の接触面に、磁性体を配置することでも、磁力により前板の閉止力が向上するので、上記と同様な効果を期待できるようになる。
【００３６】
更に、上記実施例では、連結作動体が支持レールの先端部に設けられているが、必ずしも先端部に限られたことではなく、支持レールの後端部やその他の部分に取り付けることもでき、そしてまた、支持レールではなく、前板に連結作動体を設けたとしても、上記実施例と同様な効果を得ることが可能である。
【００３７】
【発明の効果】
本発明は以下の効果を奏する。
【００３８】
（ａ）請求項１に記載の発明によれば、一方の前板が収納箱体と共に連結状態となって外方に引き出されても、引出しの反対側は他方の前板で前面を塞いでいるので、体裁が良いだけでなく反対側での引き出し操作が気にならず、しかも引出し本体の収納箱体はその収納位置で前板と分離されるので、収納箱体は常に定位置で収納されることになる。
【００３９】
（ｂ）請求項２に記載の発明によれば、前板の操作に応じて前板と収納箱体との連結、非連結を自動的に行うことができる。
【００４０】
（ｃ）請求項３に記載の発明によれば、回動レバーと嵌合溝という簡素な構成で前板と収納箱体との自動連結、及びその自動解除が実現できる。
【００４１】
（ｄ）請求項４に記載の発明によれば、収納箱体を安定的に摺動させることができる。
【００４２】
（ｅ）請求項５に記載の発明によれば、コンパクトに収納したレール構造を提供できる。
【００４３】
（ｆ）請求項６に記載の発明によれば、家具の正面側と背面側の双方から収納箱体内の収納物を出し入れすることができるので、家具をまわりこんで移動する必要がなくなる。
【００４４】
（ｇ）請求項７に記載の発明によれば、キッチンとダイニングの間を移動しなくても、収納箱体内の収納物を出し入れできるようになる。
【図面の簡単な説明】
【図１】本発明の実施例としての両引き引出し構造を備えたキャビネットの全体像を示す斜視図である。
【図２】（ａ）は、両引き引出しの分解斜視図であり、（ｂ）は、両引き引出しの組立斜視図である。
【図３】回動レバーと収納箱体の嵌合溝を示す拡大上断面図であり、（ａ）は、引出しが収納時の図であり、（ｂ）は、引出しが引き出された時の図である。
【図４】固定レール体と支持レールを示す拡大断面図である。
【図５】両引き引出し構造の使用例を示す、キャビネットの側断面図であり、（ａ）は、収納箱体が収納されている状態であり、（ｂ）は、収納箱体が正面側に引き出された状態であり、（ｃ）は、収納箱体が背面側に引き出された状態である。
【符号の説明】
１              キャビネット
２              天板
３              側板
４              両引き引出し
５              収納箱体
６、７          前板
８              固定レール体
９、１０        支持レール
１１、１２      連結部
１３、１４      回動レバー
１５            側板
１６、１７      車輪
１８、１９      嵌合溝
２０            枢軸
２１            嵌合部
２２            係止部
２３            係止片
２４            ネジ
２５、２６      レール条
２７            底板
２８            ボール
【図１】
2004188110.tif 000003
【図２】
2004188110.tif 000004
【図３】
2004188110.tif 000005
【図４】
2004188110.tif 000006
【図５】
2004188110.tif 000007